(57)【要約】【課題】運搬システムを提供すること。【解決手段】本発明は、対象物（２０）を運搬するための運搬システム（１０）に関し、運搬システム（１０）は、（ａ）本質的に弾性の部分（１１）であり、（ｂ）本質的に弾性の部分（１１）が、目的物（２０）に配置された第１の位置（１７）で目的物（２０）に取り付けられる、本質的に弾性の部分（１１）と、（ｃ）制限構成であり、制限構成の長さが、本質的に弾性の部分（１１）の最大伸張を制限し、（ｄ）制限構成が、第１の位置（１７）と異なる対象物（２０）における少なくとも１つの第２の位置（３４）に取り付けられる、制限構成とを含む。【選択図】図３Ａ
2019188125.tif 000002
【特許請求の範囲】
【請求項１】
対象物を運搬するための運搬システムであって、
（ａ）本質的に弾性の部分であり、
（ｂ）本質的に弾性の部分が、対象物に配置された第１の位置で対象物に取り付けられる、本質的に弾性の部分と、
（ｃ）制限構成であり、制限構成の長さが、本質的に弾性の部分の最大伸張を制限し、
（ｄ）制限構成が、第１の位置と異なる対象物における少なくとも１つの第２の位置に取り付けられる、制限構成と
を含む、運搬システム。
【請求項２】
制限構成が、制限ストラップと、ガイド部分とを含み、ガイド部分が、第２の位置で対象物に取り付けられ、制限ストラップが、ガイド部分にスライド可能に取り付けられる、請求項１に記載の運搬システム。
【請求項３】
ガイド部分がガイドテープを含む、請求項２に記載の運搬システム。
【請求項４】
制限ストラップが、第１の本質的にループ形状のテープおよび／または第１のリングによってガイド部分にスライド可能に取り付けられる、請求項２または３に記載の運搬システム。
【請求項５】
制限構成が、本質的に弾性の部分よりも弾性が小さい、請求項１〜４の１つに記載の運搬システム。
【請求項６】
少なくとも１つの第２の位置が、第１の位置から第１の垂直距離だけ垂直に離隔される、請求項１〜５の１つに記載の運搬システム。
【請求項７】
第１の垂直距離が少なくとも２ｃｍである、請求項６に記載の運搬システム。
【請求項８】
対象物に配置された第１の位置が、対象物の最上部の下の少なくとも２ｃｍの第２の垂直距離２３に配置される、請求項１〜７の１つに記載の運搬システム。
【請求項９】
制限構成がクッション材要素を含む、請求項１〜８の１つに記載の運搬システム。
【請求項１０】
本質的に弾性の部分が、少なくとも第１の層と、第２の層とを含む、請求項１〜９の１つに記載の運搬システム。
【請求項１１】
第１の層が弾性メッシュを含む、請求項１０に記載の運搬システム。
【請求項１２】
第１の層が第１の弾性率を有し、第２の層が第２の弾性率を有し、第１の弾性率が第２の弾性率と同一ではない、請求項１０または１１に記載の運搬システム。
【請求項１３】
第１の層が、第２の層とは異なる長さを有する、請求項１０〜１２の１つに記載の運搬システム。
【請求項１４】
制限構成が、第３の弾性率を有し、第３の弾性率が、第１の弾性率および第２の弾性率よりも低い、請求項１２または１３に記載の運搬システム。
【請求項１５】
制限構成および／またはガイド部分が、織布を含む、請求項２〜１４の１つに記載の運搬システム。
【請求項１６】
本質的に弾性の部分が、制限ストラップに配置された第３の位置で制限ストラップに取り付けられる、請求項２〜１５の１つに記載の運搬システム。
【請求項１７】
制限構成に配置された第４の位置および制限構成に配置された第５の位置で制限構成に取り付けられた保持要素をさらに含み、本質的に弾性の部分が、第４の位置および第５の位置において保持要素と制限構成との間に配置され、本質的に弾性の部分が、第４の位置および／または第５の位置で制限構成に取り付けられていない、請求項１〜１６の１つに記載の運搬システム。
【請求項１８】
保持要素が、第２の本質的にループ形状のテープを含む、請求項１７に記載の運搬システム。
【請求項１９】
保持要素が、エラストマーを含む、請求項１７または１８に記載の運搬システム。
【請求項２０】
本質的に弾性の部分および制限構成が、運搬ストラップの一部である、請求項１〜１９の１つに記載の運搬システム。
【請求項２１】
対象物が、バックパックもしくはバッグ、またはその一部である、請求項１〜２０の１つに記載の運搬システム。
【請求項２２】
請求項１〜２１の１つに記載の少なくとも１つの運搬システムを含むバックパックまたはバッグ。
【発明の詳細な説明】
【技術分野】
【０００１】
本発明は、バックパックまたはバッグなどの対象物を運搬するための改善されたシステムに関する。
【背景技術】
【０００２】
バックパックまたはバッグなどの対象物を運搬するとき、快適さのレベルは、対象物の重量による静荷重だけでなく動荷重にも依存する。例えば、人が歩いているかまたは走っているとき、対象物の垂直移動および加速度は、静荷重と比較して動荷重を大幅に増加させることがある。人が速く移動するほど、一般に、所与の静荷重に対して動荷重は大きくなることになる。それゆえに、この問題は、運動競技用途において特に重要である。
【０００３】
先行技術は、この問題へのいくつかの可能性のある解決策を提供している。欧州特許出願公開第２３７１２３２号明細書は、本質的に弾性セクションと制限セクションとを含む対象物を運搬するための運搬ストラップのための挿入物に関し、制限セクションの長さが調節可能である。特開２００５−３０４８２７号公報は、背中で安定して運搬されるように意図されたランドセルに関する。独国実用新案第２９９１０１２７号明細書は、２つの運搬ストラップを含むバックパックに関し、各運搬ストラップが、弾性セクションと、荷重の下でのストラップの伸張を制限するための手段とを含む。日本特許第５７１３１６０号明細書は、２つの肩ベルトをもつランドセルに関し、肩ベルトは、内側ベルトと外側ベルトとを含む。米国特許第６，０７０，７７６号明細書はバックパックに関し、着用者が胴をひねったとき、肩ストラップの長さが自動的に順応する。肩ストラップは下端で接続されて、１つの連続的なストラップが形成される。このストラップは、バックパックの底部パネルの下を通って、チャンネル内に収容される。低摩擦特性の部材により、連続的なストラップはチャンネル内で自由にスライドすることができる。米国特許出願公開第２０１７／０２６５６３０号明細書は、パック本体と、着用者が着用者の背中でパック本体を着用できるようにするためのパック本体から延ばされた２つの肩ストラップと、パック本体の大きい力を吸収するためにパック本体と肩ストラップとの間に設けられた弾力性ユニットを含む懸吊構成とを含むバックパックに関する。米国特許５，９５４，２５３号明細書は、肩支持構造とヒップベルトアセンブリとに取り付けられた可撓性フレームユニットを含む荷重支持システムに関する。欧州特許出願公開第２３２４７３１号明細書は、少なくとも１つの可撓性運搬材料で製作された運搬体を含み、システムが着用者によって着用されたとき着用者の前面に配置されるべき前部および着用者の背中に配置されるべき後部を含む着用者のための荷物運搬システムに関する。仏国特許出願公開第２９７４９８１号明細書は、運搬体基部を含む、荷物を運搬するためのデバイスに関する。
【０００４】
しかしながら、着用者の動的移動中に、対象物は、一般に、垂直に移動するだけでなく水平にも移動することになる。対象物が着用者の体の質量中心から水平に離れるほど、着用者は対象物を重く感じることになる。例えば、一般に、対象物の質量中心が着用者の体の質量中心から離れるほど、着用者の背中への対象物の接触点となり得る回転軸のまわりに対象物の質量中心によって加えられるトルクは、増加することになる。この問題が対処されていないことは、先行技術の欠点である。この問題は、動的な場合に限定されるのではなく、静的な条件の下でも該当する。
【先行技術文献】
【特許文献】
【０００５】
【特許文献１】欧州特許出願公開第２３７１２３２号明細書
【特許文献２】特開２００５−３０４８２７号公報
【特許文献３】独国実用新案第２９９１０１２７号明細書
【特許文献４】日本特許第５７１３１６０号明細書
【特許文献５】米国特許第６，０７０，７７６号明細書
【特許文献６】米国特許出願公開第２０１７／０２６５６３０号明細書
【特許文献７】米国特許５，９５４，２５３号明細書
【特許文献８】欧州特許出願公開第２３２４７３１号明細書
【特許文献９】仏国特許出願公開第２９７４９８１号明細書
【発明の概要】
【発明が解決しようとする課題】
【０００６】
したがって、本発明の根底にある課題は、特に動的条件の下で、既存の運搬システムよりも優れた着用快適さを与える対象物のための運搬システムを提供することである。
【課題を解決するための手段】
【０００７】
この目的は、独立請求項の教示によって、特に、対象物を運搬するための運搬システムによって達成され、運搬システムは、（ａ）本質的に弾性の部分であり、（ｂ）本質的に弾性の部分が、対象物に配置された第１の位置で対象物に取り付けられる、本質的に弾性の部分と、（ｃ）制限構成であり、制限構成の長さが、本質的に弾性の部分の最大伸張を制限し、（ｄ）制限構成が、第１の位置と異なる対象物２０における少なくとも１つの第２の位置に取り付けられる、制限構成とを含む。
【０００８】
この文脈において、「本質的に弾性の部分」は、少なくとも２００Ｎ、好ましくは５００Ｎまでの力を印加した後、小さい偏差を別にして、無荷重の長さに戻ることができる。「本質的に弾性の部分」の長さは、１００Ｎの力の印加の下で、少なくとも１％、好ましくは５％だけ増加する。荷重または力の下での長さの増加は、「伸張」と呼ぶ。
【０００９】
本発明による運搬システムの利点は、本質的に弾性の部分が対象物を着用者の体の方に引き寄せることである。この文脈において、着用者は、運搬システムによって対象物を運搬する人である。例えば、着用者は、対象物を背負って運搬することができる。この場合、本質的に弾性の部分は、着用者の背中の方に対象物を引き寄せることになる。発明者等の重要な洞察は、本質的に弾性の部分が、対象物に配置された第１の位置で対象物に取り付けられ、一方、制限構成が、第１の位置と異なる対象物における少なくとも１つの第２の位置に取り付けられることである。
【００１０】
例えば、制限構成は、対象物において本質的に弾性の部分の下に配置され得る、すなわち、少なくとも１つの第２の位置は、対象物において第１の位置の下に配置される。「の下に」は、この文脈では、対象物を運搬するために運搬システムがユーザによって着用されたとき、運搬システムおよび対象物の通常の方位で「下に配置された」を意味する。代替として、制限構成は、対象物において本質的に弾性の部分の上に配置され得る。「の上に」は、この文脈では、対象物を運搬するために運搬システムがユーザによって着用されたとき、運搬システムおよび対象物の通常の方位で「より高く配置された」を意味する。
【００１１】
いずれの配置も、対象物がより垂直な配置に引き込まれ、対象物と着用者の間の接触点であり得る回転軸のまわりに対象物によって加えられるトルクが低減されるのを可能にする。
【００１２】
制限構成および／または弾性の部分は、各々、２つ以上の位置で対象物に取り付けることができることに留意されたい。特に、少なくとも１つの第２の位置に加えて、制限構成は、第１の位置と異なってもよく、または第１の位置と一致してもよいさらなる位置で対象物に取り付けられてもよい。いずれの場合にも、制限構成は、第１の位置と異なる少なくとも１つの位置（「少なくとも１つの第２の位置」）で対象物に取り付けられる。
【００１３】
それゆえに、運搬システムは、有利には、着用者の移動中の対象物の垂直および水平移動に起因する力を弱める。制限構成は、本質的に弾性の部分の最大の伸張を制限することによって運搬システムを安定化させるように働く。
【００１４】
制限構成は、制限ストラップと、ガイド部分とを含むことができ、ガイド部分は第２の位置で対象物に取り付けられ、制限ストラップはガイド部分にスライド可能に取り付けられる。
【００１５】
それゆえに、制限ストラップは、着用者の身体構造上の要件に適合するように、さらに、動的移動の間、対象物の垂直および水平移動に起因する力をさらに弱めるように移動することができる。ガイド部分は、制限ストラップの動きをガイド部分に沿うように制限することによって十分な安定性を保証する。
【００１６】
ガイド部分はガイドテープを含むことができる。テープは、織布、不織布、または編布などの任意のタイプの布地を含むことができる。代替としてまたは追加として、ガイドテープは、エラストマー、例えば、ポリエチレン、ポリプロピレン、クロロスルホン化ポリエチレン、またはポリエステルからなることができる。これは、ガイド部分を、特に、例えば金属構造と比較して、快適に、低摩擦に、および低重量にすることを可能にする。
【００１７】
制限ストラップは、第１の本質的にループ形状のテープおよび／または第１のリングによってガイド部分にスライド可能に取り付けることができる。第１の「本質的にループ形状のテープ」は、閉ループであってもよく、そうでなくてもよい。第１のリングは、円形形状、矩形形状、楕円形状、またはそれらの変形を含む多くの形状を有することができる。第１のリングは、閉じられていてもよく、そうでなくてもよい。リングは、金属または硬質プラスチックなどの硬い材料から製作されてもよく、または軟質プラスチックなどの軟質材料から製作されてもよい。第１の本質的にループ形状のテープまたは第１のリングは、織布、不織布、編布などの任意のタイプの布地からなることができる。制限ストラップの動きがガイド部分に沿うように制限されることが唯一重要である。代替としてまたは追加として、本質的にループ形状のテープまたはリングは、エラストマー、例えば、ポリエチレン、ポリプロピレン、クロロスルホン化ポリエチレン、ポリエステルからなることができる。これは、第１のループ形状のテープまたは第１のリングを快適に、低摩擦に、および低重量にすることを可能にする。
【００１８】
制限構成は、ガイド部分と、第１の本質的にループ形状のテープおよび／または第１のリングを含むが、制限ストラップを含まないことも可能である。これにより、特に軽量の構造が可能になる。
【００１９】
制限構成は、本質的に弾性の部分よりも小さい弾性とすることができる。この文脈において、小さい弾性は、所与の量だけ、例えば長さ５％だけ制限構成を伸ばすのに、同じ量だけ、例えば長さ５％だけ本質的に弾性の部分を伸ばすのに必要とされる力よりも大きい力が必要とされることを意味する。この差は、異なる弾性率（ヤング率としても知られている）によって、および／または異なる厚さによって達成することができる。それゆえに、制限構成は、本質的に弾性の部分の最大伸張を効果的に制限することができる。制限構成の弾性は、少なくとも、制限ストラップの弾性、ガイド部分の弾性、および／または第１の本質的にループ形状のテープまたは第１のリングの弾性によって決定することができる。
【００２０】
少なくとも１つの第２の位置は、第１の位置から第１の垂直距離だけ垂直に離隔することができる。第１の垂直距離だけ離隔することにより、静的状況での対象物の傾斜ならびに動的移動中のあり得る傾斜の範囲が、より人間工学的な適合およびより良好な衝撃吸収を可能にするように設計され得る。
【００２１】
第１の垂直距離は、少なくとも２ｃｍ、好ましくは少なくとも５ｃｍ、より好ましくは少なくとも８ｃｍとすることができる。第１の垂直距離が大きくなるほど、対象物の方位が安定になり、動的移動中のあり得る傾斜の範囲が小さくなる。
【００２２】
対象物に配置された第１の位置は、対象物の最上部の下の少なくとも２ｃｍ、好ましくは少なくとも５ｃｍ、さらに好ましくは少なくとも１０ｃｍの第２の垂直距離に位置することができる。対象物の最上部と第１の位置との間の距離が大きくなるほど、対象物の質量中心が着用者の体の質量中心に対して高く配置されることになる。発明者等は、対象物の質量中心が着用者の体の質量中心に対してできるだけ高く配置される場合、着用者が対象物の重量を保持することがより容易であることを見いだした。これは、特に、体の背中に着用される対象物、例えばバックパックなどに当てはまる。
【００２３】
制限構成はクッション材要素を含むことができる。クッション材要素は、２つの目的に役立つ。第１に、クッション材要素は、緩衝効果により着用者に快適さを提供する。第２に、クッション材要素の厚さのために、クッション材要素は、回転軸として働くことができる。本質的に弾性の部分と組み合わせて、これは、使用中に対象物をより垂直な位置に引き込むためのレバーを作り出し、それにより、より人間工学的な着用性がもたらされる。クッション材要素は肩パッドとして働くことができる。制限ストラップがガイド部分にスライド可能に取り付けられる場合、この構成により、さらに、クッション材要素は肩の形状により良好に適合し、それゆえに、荷重を従来の肩パッドよりも均等に分散させることができる。
【００２４】
本質的に弾性の部分は、少なくとも第１の層と、第２の層とを含むことができる。このように、本質的に弾性の部分の性質は、より多様に設計することができる。
【００２５】
第１の層は、弾性メッシュを含むことができる。弾性メッシュは、通気性および軽量であり、高度に弾性の第１の層を設けるために使用することができる。
【００２６】
第１の層は第１の弾性率を有し、第２の層は第２の弾性率を有し、第１の弾性率は第２の弾性率と同一でなくてもよい。これは、有利には、本質的に弾性の部分を設計することができる弾性的性質の範囲を拡大する。例えば、第１の弾性率は第２の弾性率よりも大きくすることができ、または代替として、第２の弾性率は第１の弾性率よりも大きくすることができる。低い弾性率は、材料がより弾性である、すなわち、所与の力の下でより多く伸びることを意味する。
【００２７】
第１の層は、第２の層とは異なる長さを有することができる。これは、さらに有利には、本質的に弾性の部分を設計することができる弾性的性質の範囲を拡大する。例えば、第１の層は第２の層よりも長くすることができる。ここで、長さは、第１の層の長手方向に沿って決定される。例えば、第１の弾性率が第２の弾性率よりも大きい場合、本質的に弾性の部分は、最初に、力の印加の下でかなり容易に伸び、次いで、第２の層が第１の層と同じ長さまで伸ばされると、本質的に弾性の部分をさらに伸ばすのに、より大きい力が必要とされる。このように、多用状況での運搬システムへの強度を図ることができる。
【００２８】
制限構成は第３の弾性率を有することができ、第３の弾性率は第１の弾性率および第２の弾性率よりも低くすることができる。例えば、制限構成が第１の層および第２の層と同じ厚さを有する場合、制限構成は、第１の層および第２の層よりも小さい弾性とすることができる。このように、制限構成は、本質的に弾性の部分の最大の伸張を効果的に制限することができるが、制限構成の比較的薄い厚さおよびそれにより比較的低い重量を可能にする。
【００２９】
制限ストラップおよび／またはガイド部分は、織布を含むことができる。織布は、有利には、良好な強度および高い通気性を備えている。代替として、制限ストラップおよび／またはガイド部分は、不織布または編布などの他のタイプの布地を含むことができる。
【００３０】
本質的に弾性の部分は、制限構成に配置された第３の位置で制限構成に取り付けることができる。このように、運搬システムの安定性は有利に改善される。この文脈における「取り付けられる」は、「直接取り付けられる」を意味することができる。
【００３１】
運搬システムは、制限構成に配置された第４の位置および制限構成に配置された第５の位置で制限構成に取り付けられた保持要素をさらに含むことができ、本質的に弾性の部分は、第４の位置および第５の位置において保持要素と制限構成との間に配置され、本質的に弾性の部分は、第４の位置および／または第５の位置において制限構成に取り付けられていない。本質的に弾性の部分が、第４の位置および／または第５の位置において制限構成に取り付けられていない場合、運搬システムの順応性が有利に改善される。しかしながら、本質的に弾性の部分が、第４の位置および第５の位置において保持要素と制限構成との間に配置される場合、さらに、優れた安定性がある。
【００３２】
制限構成に対する本質的に弾性の部分の横方向移動は、第４の位置および／または第５の位置において防止または制限され得る。これにより、運搬システムの横方向安定性が改善される。
【００３３】
保持要素は、第２の本質的にループ形状のテープまたは第２のリングを含むことができる。第２の本質的にループ形状のテープまたは第２のリングは、本明細書で説明するように、それぞれ、第１の本質的にループ形状のテープまたは第１のリングと同じ性質を有する。それゆえに、第２のループ形状のテープまたは第２のリングは快適であり、低重量である。
【００３４】
保持要素は、エラストマー、例えば、ポリエチレン、ポリプロピレン、クロロスルホン化ポリエチレン、またはポリエステルからなることができる。それゆえに、保持要素は、特に耐久性があり低重量である。
【００３５】
本質的に弾性の部分および制限構成は、運搬ストラップの一部とすることができる。本質的に弾性の部分および制限構成の有利な性質は、運搬ストラップに極めて良好に利用される。
【００３６】
対象物は、バックパックもしくはバッグ、またはその一部とすることができる。本発明は、さらに、本明細書で説明するような本発明による少なくとも１つの運搬システムを含むバックパックまたはバッグに関する。バックパックまたはバッグは、一般に、肩の上に着用され、また背中に着用されてもよい。それゆえに、本発明による運搬システムの有利な性質は、バックパックまたはバッグにとって特に有益である。
【００３７】
本発明は、以下の実施形態を含む。
［１］対象物（２０）を運搬するための運搬システム（１０）であって、
（ａ）本質的に弾性の部分（１１）であり、
（ｂ）本質的に弾性の部分（１１）が、対象物（２０）に配置された第１の位置（１７）で対象物（２０）に取り付けられる、本質的に弾性の部分（１１）と、
（ｃ）制限構成であり、制限構成の長さが、本質的に弾性の部分（１１）の最大伸張を制限し、
（ｄ）制限構成が、第１の位置（１７）と異なる対象物（２０）における少なくとも１つの第２の位置（３４）に取り付けられる、制限構成と
を含む、運搬システム（１０）。
［２］制限構成が、制限ストラップ（１２）と、ガイド部分（１８）とを含み、ガイド部分（１８）が、第２の位置（３４）で対象物（２０）に取り付けられ、制限ストラップ（１２）が、ガイド部分（１８）にスライド可能に取り付けられる、［１］に記載の運搬システム（１０）。
［３］ガイド部分（１８）がガイドテープを含む、［２］に記載の運搬システム（１０）。
［４］制限ストラップ（１２）が、第１の本質的にループ形状のテープ（１９）および／または第１のリング（４１）によってガイド部分（１８）にスライド可能に取り付けられる、［２］または［３］に記載の運搬システム（１０）。
［５］制限構成が、本質的に弾性の部分（１１）よりも弾性が小さい、［１］〜［４］の１つに記載の運搬システム（１０）。
［６］少なくとも１つの第２の位置（３４）が、第１の位置から第１の垂直距離だけ垂直に離隔される、［１］〜［５］の１つに記載の運搬システム（１０）。
［７］第１の垂直距離が少なくとも２ｃｍである、［６］に記載の運搬システム（１０）。
［８］対象物（２０）に配置された第１の位置（１７）が、対象物（２０）の最上部（２２）の下の少なくとも２ｃｍの第２の垂直距離２３に配置される、［１］〜［７］の１つに記載の運搬システム（１０）。
［９］制限構成がクッション材要素を含む、［１］〜［８］の１つに記載の運搬システム（１０）。
［１０］本質的に弾性の部分（１１）が、少なくとも第１の層（１１ａ）と、第２の層（１１ｂ）とを含む、［１］〜［９］の１つに記載の運搬システム（１０）。
［１１］第１の層（１１ａ）が弾性メッシュを含む、［１０］に記載の運搬システム（１０）。
［１２］第１の層（１１ａ）が第１の弾性率を有し、第２の層（１１ｂ）が第２の弾性率を有し、第１の弾性率が第２の弾性率と同一ではない、［１０］または［１１］に記載の運搬システム（１０）。
［１３］第１の層（１１ａ）が、第２の層（１１ｂ）とは異なる長さを有する、［１０］〜［１２］の１つに記載の運搬システム（１０）。
［１４］制限構成が、第３の弾性率を有し、第３の弾性率が、第１の弾性率および第２の弾性率よりも低い、［１２］または［１３］に記載の運搬システム（１０）。
［１５］制限構成および／またはガイド部分（１８）が、織布を含む、［２］〜［１４］の１つに記載の運搬システム（１０）。
［１６］本質的に弾性の部分（１１）が、制限ストラップ（１２）に配置された第３の位置（３１）で制限ストラップ（１２）に取り付けられる、［２］〜［１５］の１つに記載の運搬システム（１０）。
［１７］制限構成に配置された第４の位置（３２）および制限構成に配置された第５の位置（３３）で制限構成に取り付けられた保持要素（１３）をさらに含み、本質的に弾性の部分（１１）が、第４の位置（３２）および第５の位置（３３）において保持要素（１３）と制限構成との間に配置され、本質的に弾性の部分（１１）が、第４の位置（３２）および／または第５の位置（３３）で制限構成に取り付けられていない、［１］〜［１６］の１つに記載の運搬システム（１０）。
［１８］保持要素（１３）が、第２の本質的にループ形状のテープを含む、［１７］に記載の運搬システム（１０）。
［１９］保持要素（１３）が、エラストマーを含む、［１７］または［１８］に記載の運搬システム（１０）。
［２０］本質的に弾性の部分（１１）および制限構成が、運搬ストラップの一部である、［１］〜［１９］の１つに記載の運搬システム（１０）。
［２１］対象物（２０）が、バックパックもしくはバッグ、またはその一部（２１）である、［１］〜［２０］の１つに記載の運搬システム（１０）。
［２２］［１］〜［２１］の１つに記載の少なくとも１つの運搬システム（１０）を含むバックパックまたはバッグ。
【００３８】
以下において、本発明の例示的な実施形態が図を参照して説明される。
【図面の簡単な説明】
【００３９】
【図１】本発明による例示的なバックパックおよび運搬システムを示す図である。
【図２】本発明による例示的なバックパックおよび運搬システムの利点を示す図である。
【図３Ａ】本発明による例示的な運搬システムの側面図（図３Ａ）および正面図（図３Ｂ）である。
【図３Ｂ】本発明による例示的な運搬システムの側面図（図３Ａ）および正面図（図３Ｂ）である。
【図４Ａ】本発明によるバックパックおよび運搬システムの代替実施形態を示す図である。
【図４Ｂ】本発明によるバックパックおよび運搬システムの代替実施形態を示す図である。
【発明を実施するための形態】
【００４０】
以下において、本発明のいくつかの可能な実施形態のみが詳細に説明される。これらの例示的な実施形態は、多くの方法で変更され、矛盾しないときはいつでも互いに組み合わされてもよく、特定の機能は、重要でないと思われる限り省略されてもよいことを理解されたい。本発明は、主として、バックパック２０のための運搬システム１０を参照して説明されるが、本発明による運搬システム１０は任意の対象物を運搬するために使用され得ることを理解されたい。
【００４１】
図１は、対象物２０を運搬するための例示的な運搬システム１０を示しており、例示的な運搬システム１０は、本質的に弾性の部分１１であり、対象物２０に配置された第１の位置１７で対象物２０に取り付けられる、本質的に弾性の部分１１と、制限構成であり、制限構成の長さが本質的に弾性の部分１１の最大伸張を制限し、制限構成が第１の位置１７（図３Ａに最もよく示されている）と異なる対象物２０における第２の位置に取り付けられる、制限構成とを含む。この例では、制限構成（それの制限ストラップ１２を図１で見ることができる）は、対象物の本質的に弾性の部分１１の下に配置される。
【００４２】
運搬システム１０は、有利には、着用者の移動中の対象物の垂直および水平移動に起因する力を弱める。制限構成は、本質的に弾性の部分１１の最大伸張を制限することによって運搬システム１０を安定化させるように働く。
【００４３】
制限構成は、本質的に弾性の部分１１よりも弾性が小さい。この例では、制限構成を長さ５％だけ伸ばすのに１２０Ｎの力が必要とされるが、本質的に弾性の部分１１を同じ割合の５％だけ伸ばすのに２０Ｎの力しか必要とされない。この例では、この差は、ヤング率としても知られる弾性率の違いおよび厚さの違いによって達成される。制限構成の弾性率は、本質的に弾性の部分１１の弾性率より２倍大きい。その上、制限構成は３倍の厚さであり、これは、断面積が本質的に弾性の部分１１より３倍大きいことを意味する。
【００４４】
この例では、バックパック２０は、本体２１、左運搬システム１０、および右運搬システム１０を含む。左運搬システム１０は左肩ストラップ２６ｂの一部であり、右運搬システム１０は右肩ストラップ２６ａの一部である。左肩ストラップ２６ｂは、雄型接続要素１５をさらに含み、右肩ストラップ２６ａは、雌型接続要素１６をさらに含み、それにより、左運搬システムと右運搬システムとが互いに接続されて、着用者の背中でのバックパック２０の安定性を改善することができる。各肩ストラップ２６ａ、２６ｂは、肩ストラップ２６ａ、２６ｂの全長を調節するためにバックル１４をさらに含む。
【００４５】
対象物に配置された第１の位置１７は、対象物の最上部２２の下の５ｃｍの第２の垂直距離２３に配置される。制限構成はクッション材要素を含む。制限ストラップ１２は織布をさらに含む。本質的に弾性の部分１１は、制限構成に配置された第３の位置３１で制限構成に取り付けられる。運搬システム１０は、以下で図３Ｂを参照してより詳細に説明する保持要素１３をさらに含む。
【００４６】
図２は、本発明による運搬システム１０の有利な技術的効果を示す。本発明による運搬システム１０の利点は、本質的に弾性の部分１１が着用者の体２５の方に対象物を引き寄せ、衝撃吸収効果を提供することである。この例では、対象物はバックパック２０である。この文脈において、着用者は、運搬システム１０によって対象物を運搬する人である。例えば、着用者は、バックパック２０を背負って運搬することができる。この場合、本質的に弾性の部分１１は、着用者の背中の方にバックパック２０を引き寄せることになる。
【００４７】
例えば、着用者が素早く踏み出すかまたはジャンプする状況を考える。これにより、バックパック２０の突然の加速が水平と垂直の両方に引き起こされることになる。参照符号２７ａは、加速の間の本発明による運搬システム１０を含むバックパックの位置を示す。バックパック２０は、着用者の体２５から離れて傾いている。バックパック２０が位置２７ａにあるとき、バックパック２０の質量中心は位置２４ａに位置する。運搬システム１０の本質的に弾性の部分は、バックパックを移動できるようにし、それゆえに、有利には、衝撃を吸収することができる。参照符号２７ｂは、加速の直後のバックパック２０の位置を示す。バックパック２０は、より垂直な配置に素早く引き戻され、バックパック２０の質量中心２４ｂは加速の間質量中心２４ａよりも体２５の近くに位置し、それにより、対象物と着用者の間の接触点であり得る回転軸のまわりにバックパック２０によって加えられるトルクが低減される。
【００４８】
図３Ａは、対象物２０（左側に示す）を運搬するための例示的な運搬システム１０を示し、例示的な運搬システム１０は、本質的に弾性の部分１１であり、対象物２０に配置された第１の位置１７で対象物２０に取り付けられる、本質的に弾性の部分１１と、制限構成であり、制限構成の長さが、本質的に弾性の部分１１の最大伸張を制限し、制限構成が、第１の位置１７と異なる対象物２０における第２の位置３４に取り付けられる、制限構成とを含む。制限構成は、さらに、第１の位置１７で対象物２０に取り付けられることに留意されたい。しかしながら、重要なことは、制限構成が、さらに、第１の位置１７と異なる第２の位置３４で対象物２０に取り付けられることである。この例では、制限構成は、対象物において本質的に弾性の部分１１の下に配置される。本質的に弾性の部分１１および制限構成は、肩ストラップ２６の一部である。
【００４９】
制限構成は、制限ストラップ１２と、ガイド部分１８とを含み、ガイド部分１８は第２の位置３４で対象物２０に取り付けられ、制限ストラップ１２はガイド部分１８にスライド可能に取り付けられる。
【００５０】
ガイド部分１８はガイドテープを含む。ガイドテープは、エラストマー、この例ではポリプロピレンからなる織布を含む。制限ストラップ１２は、第１の本質的にループ形状のテープ１９によってガイド部分１８にスライド可能に取り付けられ、第１の本質的にループ形状のテープ１９は、エラストマー、この例ではポリプロピレンからなる織布をさらに含む。
【００５１】
本質的に弾性の部分１１は、少なくとも第１の層１１ａと、第２の層１１ｂとを含む。第１の層１１ａは弾性メッシュを含む。第１の層１１ａは第１の弾性率を有し、第２の層１１ｂは第２の弾性率を有し、第１の弾性率は第２の弾性率と同一ではない。この例では、第１の弾性率は第２の弾性率よりも大きい。第１の層１１ａは、第２の層１１ｂとは異なる長さを有する。この例では、第１の層１１ａは第２の層１１ｂよりも長い。制限構成は第３の弾性率を有し、第３の弾性率は第１の弾性率および第２の弾性率よりも低い。
【００５２】
図３Ｂは、図３Ａの側面図で示した、対象物を運搬するための運搬システム１０の正面図を示す。
【００５３】
本質的に弾性の部分１１は、制限構成に配置された第３の位置３１で制限構成に取り付けられる。
【００５４】
運搬システム１０は、制限構成に配置された第４の位置３２および制限構成に配置された第５の位置３３で制限構成に取り付けられた保持要素１３をさらに含み、本質的に弾性の部分１１は、第４の位置３２および第５の位置３３において保持要素１３と制限構成との間に配置され、本質的に弾性の部分１１は、第４の位置３２および／または第５の位置３３で制限構成に取り付けられていない。制限構成に対する本質的に弾性の部分１１の横方向移動は、第４の位置３２および／または第５の位置３３で制限される。これにより、運搬システム１０の横方向安定性が改善される。
【００５５】
制限構成は、制限ストラップ１２と、ガイド部分１８とを含み、ガイド部分１８は第２の位置３４で対象物２０に取り付けられ、制限ストラップ１２はガイド部分１８にスライド可能に取り付けられる。
【００５６】
ガイド部分１８はガイドテープを含む。ガイドテープは、エラストマー、この例ではポリプロピレンからなる織布を含む。制限ストラップ１２は、第１の本質的にループ形状のテープ１９によってガイド部分１８にスライド可能に取り付けられ、第１の本質的にループ形状のテープ１９は、エラストマー、この例ではポリプロピレンからなる織布をさらに含む。
【００５７】
保持要素１３は、第２の本質的にループ形状のテープを含む。この例では、保持要素１３は、クロロスルホン化ポリエチレンからなる。
【００５８】
図４Ａおよび図４Ｂは、制限構成が対象物２０の本質的に弾性の部分１１の上に配置される例示的な実施形態を示す。対象物２０はリュックサックであり、単にアウトラインとして示されている。対象物２０を運搬するための運搬システム１０は、本質的に弾性の部分１１であり、対象物２０に配置された第１の位置１７で対象物２０に取り付けられる、本質的に弾性の部分１１と、制限構成であり、制限構成の長さが、本質的に弾性の部分１１の最大伸張を制限し、制限構成が、第１の位置１７と異なる対象物２０における第２の位置３４ａに取り付けられる、制限構成とを含む。制限構成は、さらに、第１の位置１７とやはり異なる別の第２の位置３４ｂで対象物２０に取り付けられることに留意されたい。第２の位置３４ａと第２の位置３４ｂの両方は第１の位置１７の上に配置される。しかしながら、第２の位置３４ａおよび第２の位置３４ｂの一方のみが第１の位置１７の上に配置されることも可能である。この例では、第２の位置３４ａは、５ｃｍの第１の垂直距離だけ第１の位置１７から垂直に離隔されている。この例では、弾性の部分１１はプリーツをつけられている。
【００５９】
本質的に弾性の部分１１の最大伸張を制限する制限構成は、ガイド部分１８、第１の本質的にループ形状のテープ１９、第１のリング４１ａ、および第２のリング４１ｂを含む。本質的に弾性の部分１１および制限構成は、肩ストラップ２６の一部である。
【００６０】
ガイド部分１８は、第２の位置３４ａおよび第２の位置３４ｂで対象物２０に取り付けられる。ガイド部分１８はガイドテープを含む。ガイド部分１８は、第１の本質的にループ形状のテープ１９および第１のリング４１ａにスライド可能に取り付けられる、すなわち、本質的にループ形状のテープ１９および第１のリング４１ａはガイド部分１８に沿ってスライドすることができる。本質的に弾性の部分１１は、テープ形状弾性部分１１が通される第２のリング４１ｂによって制限構成に結合される。
【符号の説明】
【００６１】
１０  運搬システム
１１  本質的に弾性な部分
１１ａ  第１の層
１１ｂ  第２の層
１２  制限ストラップ
１３  保持要素
１４  バックル
１５  雄型接続要素
１６  雌型接続要素
１７  第１の位置
１８  ガイド部分
１９  第１の本質的にループ形状のテープ
２０  バックパック
２１  本体
２２  バックパックの最上部
２３  第２の垂直距離
２４  バックパックの質量中心
２５  着用者の体
２６  肩ストラップ
２７ａ  加速の間の位置
２７ｂ  加速の直後の位置
３１  第３の位置
３２  第４の位置
３３  第５の位置
３４  第２の位置
４１  第１のリング
【図１】
2019188125.tif 000003
【図２】
2019188125.tif 000004
【図３Ａ】
2019188125.tif 000005
【図３Ｂ】
2019188125.tif 000006
【図４Ａ】
2019188125.tif 000007
【図４Ｂ】
2019188125.tif 000008
【外国語明細書】
2019188125000001.pdf